(57)【特許請求の範囲】
【請求項１】
電子錠装置に設けた錠機構を施解錠するための識別データを１個または複数個登録可能なメモリからなる識別データ設定部と、前記識別データを送信するために前記電子錠装置と通信可能に接続するための送信部と、前記識別データ設定部に登録されるデータを入出力するために前記送信部とは別に設けたインタフェースと、前記電子錠装置と前記送信部との間における通信を制御するとともに前記インタフェースと前記識別データ設定部との間におけるデータの読み書きを制御する電子キー制御部と、前記識別データの読み書きを許可するための識別子を登録する固定データ登録部と、前記識別データと識別子との組を登録可能な鍵束データベースを備える鍵管理サーバとの通信が許可されるために必要なキーデータを記憶するキーデータ記憶部とを備え、前記電子キー制御部は、前記インタフェースに識別子が入力されると当該識別子と前記固定データ登録部に登録されている識別子とが一致する場合に前記キーデータ記憶部からキーデータを読み出して前記インタフェースに出力することを特徴とする電子キー。
【請求項２】
前記識別子は、製造番号であることを特徴とする請求項１記載の電子キー。
【請求項３】
前記識別子は、前記電子錠装置の製造番号であることを特徴とする請求項１記載の電子キー。
【請求項４】
施解錠を行う錠機構と、前記錠機構を施解錠するための識別データと既定条件を満たす関係にある鍵データを登録する鍵データ記憶部と、前記識別データを受信するために電子キーと通信可能に接続するための受信部と、前記受信部を介して受信した識別データが前記鍵データ記憶部に登録されている鍵データと前記既定条件を満たしている場合には前記錠機構を施解錠する電子錠装置制御部とを備える電子錠装置を設け、錠機構を施解錠するための識別データを１個または複数個登録可能なメモリからなる識別データ設定部と、前記識別データを送信するために前記電子錠装置と通信可能に接続するための送信部と、前記識別データ設定部に登録されるデータを入出力するために前記送信部とは別に設けたインタフェースと、前記電子錠装置と前記送信部との間における通信を制御するとともに前記インタフェースと前記識別データ設定部との間におけるデータの読み書きを制御する電子キー制御部とを備える電子キーを設け、前記インタフェースを介して前記電子キーにおける前記識別データ設定部に対する識別データの読出と書込とが可能な読み書き装置を設け、前記識別データと前記識別データの読み書きを許可するための識別子との組を登録可能な鍵束データベースを有した鍵管理サーバを設け、前記読み書き装置は、前記鍵管理サーバとの間で通信回線を介してデータ伝送を行う伝送処理部と、前記識別子を入力する操作部とを備え、前記操作部から入力された識別子と組となる識別データが前記鍵束データベースに登録されている場合に、前記鍵束データベースから読み出した当該識別データを前記電子キーの識別データ設定部に書き込むことを特徴とする電子鍵システム。
【請求項５】
施解錠を行う錠機構と、前記錠機構を施解錠するための識別データと既定条件を満たす関係にある鍵データを登録する鍵データ記憶部と、前記識別データを受信するために電子キーと通信可能に接続するための受信部と、前記受信部を介して受信した識別データが前記鍵データ記憶部に登録されている鍵データと前記既定条件を満たしている場合には前記錠機構を施解錠する電子錠装置制御部とを備える電子錠装置を設け、錠機構を施解錠するための識別データを１個または複数個登録可能なメモリからなる識別データ設定部と、前記識別データを送信するために前記電子錠装置と通信可能に接続するための送信部と、前記識別データ設定部に登録されるデータを入出力するために前記送信部とは別に設けたインタフェースと、前記電子錠装置と前記送信部との間における通信を制御するとともに前記インタフェースと前記識別データ設定部との間におけるデータの読み書きを制御する電子キー制御部とを備える電子キーを設け、前記インタフェースを介して前記電子キーにおける前記識別データ設定部に対する識別データの読出と書込とが可能な読み書き装置を設け、前記識別データと前記識別データの読み書きを許可するための識別子との組を登録可能な鍵束データベースを設け、前記電子キーの使用者の個人情報を登録した使用者データベースとを有した鍵管理サーバを設け、前記読み書き装置は、前記鍵管理サーバとの間で通信回線を介してデータ伝送を行う伝送処理部と、前記識別子および前記電子キーの使用者の個人情報を入力する操作部とを備え、前記操作部から入力された個人情報に一致する個人情報が前記使用者データベースに登録され、かつ前記操作部から入力された識別子と組となる識別データが前記鍵束データベースに登録されている場合に、前記鍵束データベースから読み出した当該識別データを前記電子キーの識別データ設定部に書き込むことを特徴とする電子鍵システム。
【請求項６】
施解錠を行う錠機構と、前記錠機構を施解錠するための識別データと既定条件を満たす関係にある鍵データを登録する鍵データ記憶部と、前記識別データを受信するために電子キーと通信可能に接続するための受信部と、前記受信部を介して受信した識別データが前記鍵データ記憶部に登録されている鍵データと前記既定条件を満たしている場合には前記錠機構を施解錠する電子錠装置制御部とを備える電子錠装置を設け、錠機構を施解錠するための識別データを１個または複数個登録可能なメモリからなる識別データ設定部と、前記識別データを送信するために前記電子錠装置と通信可能に接続するための送信部と、前記識別データ設定部に登録されるデータを入出力するために前記送信部とは別に設けたインタフェースと、前記電子錠装置と前記送信部との間における通信を制御するとともに前記インタフェースと前記識別データ設定部との間におけるデータの読み書きを制御する電子キー制御部とを備える電子キーを設け、前記インタフェースを介して前記電子キーにおける前記識別データ設定部に対する識別データの読出と書込とが可能な読み書き装置を設け、前記識別データと前記識別データの読み書きを許可するための識別子との組を登録可能な鍵束データベースを設け、前記電子錠装置の使用者の個人情報を登録した使用者データベースとを有した鍵管理サーバを設け、前記読み書き装置は、前記鍵管理サーバとの間で通信回線を介してデータ伝送を行う伝送処理部と、前記識別子および前記電子錠装置の使用者の個人情報を入力する操作部とを備え、前記操作部から入力された個人情報に一致する個人情報が前記使用者データベースに登録され、かつ前記操作部から入力された識別子と組となる識別データが前記鍵束データベースに登録されている場合に、前記鍵束データベースから読み出した当該識別データを前記電子キーの識別データ設定部に書き込むことを特徴とする電子鍵システム。
【請求項７】
前記鍵管理サーバは、前記使用者データベースに登録された使用者毎の鍵束データベースへのアクセス状況を監視するアクセス状況監視部と、使用者毎に一定期間毎のアクセス状況に応じた使用料を計算する課金計算部と、各使用者が口座を開設している金融機関の金融機関サーバと通信可能であって前記課金計算部により求めた各使用者毎の使用料を金融機関サーバにおける該当する口座から自動的に引き落とすように処理する精算処理部とを備えることを特徴とする請求項５または請求項６記載の電子鍵システム。
【請求項８】
前記読み書き装置と前記鍵管理サーバとの間の通信回線を提供する通信サービス会社のキャリアサーバが前記通信回線に接続され、前記キャリアサーバが、前記使用者データベースに登録された使用者の鍵束データベースへのアクセス状況を監視するアクセス状況監視部と、使用者毎に一定期間毎のアクセス状況に応じた使用料および通信回線の使用料を計算する課金計算部と、各使用者が口座を開設している金融機関の金融機関サーバと通信可能であって前記課金計算部により求めた各使用者毎の使用料を金融機関サーバにおける該当する口座から自動的に引き落とすように処理する精算処理部とを備え、前記精算処理部で求めた前記鍵束データベースへのアクセス状況に応じた使用料を前記鍵管理サーバに通知することを特徴とする請求項５または請求項６記載の電子鍵システム。
【請求項９】
前記識別子は、当該識別子によって読み書きを許可される識別データで施解錠される錠機構を備える電子錠装置の製造番号であることを特徴とする請求項４記載の電子鍵システム。
【請求項１０】
施解錠を行う錠機構と、前記錠機構を施解錠するための識別データと既定条件を満たす関係にある鍵データを登録する鍵データ記憶部と、前記識別データを受信するために電子キーと通信可能に接続するための受信部と、前記受信部を介して受信した識別データが前記鍵データ記憶部に登録されている鍵データと前記既定条件を満たしている場合には前記錠機構を施解錠する電子錠装置制御部とを備える電子錠装置を設け、錠機構を施解錠するための識別データを１個または複数個登録可能なメモリからなる識別データ設定部と、前記識別データを送信するために前記電子錠装置と通信可能に接続するための送信部と、前記識別データ設定部に登録されるデータを入出力するために前記送信部とは別に設けたインタフェースと、前記電子錠装置と前記送信部との間における通信を制御するとともに前記インタフェースと前記識別データ設定部との間におけるデータの読み書きを制御する電子キー制御部とを備える電子キーを設け、前記インタフェースを介して前記電子キーにおける前記識別データ設定部に対する識別データの読出と書込とが可能な読み書き装置を設けた電子鍵システムに用いる前記読み書き装置との間で通信回線を介してデータ伝送が可能であって、前記識別データと前記識別データの読み書きを許可するための識別子との組を登録可能な鍵束データベースを有し、前記読み書き装置に設けた操作部から入力される識別子と組となる識別データが前記鍵束データベースに登録されている場合に、当該識別データを前記読み書き装置を介して前記電子キーの識別データ設定部に書き込ませることを特徴とする鍵管理サーバ。
【請求項１１】
施解錠を行う錠機構と、前記錠機構を施解錠するための識別データと既定条件を満たす関係にある鍵データを登録する鍵データ記憶部と、前記識別データを受信するために電子キーと通信可能に接続するための受信部と、前記受信部を介して受信した識別データが前記鍵データ記憶部に登録されている鍵データと前記既定条件を満たしている場合には前記錠機構を施解錠する電子錠装置制御部とを備える電子錠装置を設け、錠機構を施解錠するための識別データを１個または複数個登録可能なメモリからなる識別データ設定部と、前記識別データを送信するために前記電子錠装置と通信可能に接続するための送信部と、前記識別データ設定部に登録されるデータを入出力するために前記送信部とは別に設けたインタフェースと、前記電子錠装置と前記送信部との間における通信を制御するとともに前記インタフェースと前記識別データ設定部との間におけるデータの読み書きを制御する電子キー制御部とを備える電子キーを設け、前記インタフェースを介して前記電子キーにおける前記識別データ設定部に対する識別データの読出と書込とが可能な読み書き装置を設けた電子鍵システムに用いる前記読み書き装置との間で通信回線を介してデータ伝送が可能であって、前記識別データと前記識別データの読み書きを許可するための識別子との組を登録可能な鍵束データベースと、前記電子キーと前記電子錠装置との一方の使用者の個人情報を登録した使用者データベースとを有し、前記読み書き装置に設けた操作部から入力される個人情報に一致する個人情報が前記使用者データベースに登録され、かつ前記操作部から入力された識別子と組となる識別データが前記鍵束データベースに登録されている場合に、当該識別データを前記読み書き装置を介して前記電子キーの識別データ設定部に書き込ませることを特徴とする鍵管理サーバ。
【請求項１２】
前記使用者データベースに登録された使用者毎の鍵束データベースへのアクセス状況を監視するアクセス状況監視部と、使用者毎に一定期間毎のアクセス状況に応じた使用料を計算する課金計算部と、各使用者が口座を開設している金融機関の金融機関サーバと通信可能であって前記課金計算部により求めた各使用者毎の使用料を金融機関サーバにおける該当する口座から自動的に引き落とすように処理する精算処理部とを備えることを特徴とする請求項１０記載の鍵管理サーバ。
【発明の詳細な説明】
【０００１】
【発明の属する技術分野】
本発明は、電子キー、電子鍵システム、鍵管理サーバに関するものである。
【０００２】
【従来の技術】
従来から、機械式の鍵に代わる電子式の鍵が各種提案されている。たとえば、磁気カードに登録したデータを磁気カードリーダによって読み取ることにより錠機構を施解錠する技術は、ビルなどのキーボックスにおいて採用されている。また、メモリに格納したデータを鍵として用いる技術として、たとえば、ＩＣカードに利用者の本人認証データを記録しておき、このＩＣカードをＩＣカードリーダで読み、人証データ入力装置から入力された人証データとＩＣカードから読み取った本人認証データとを照合して認証に合格したときに錠機構を解錠する装置も知られている。ＩＣカードへの本人認証データの設定には鍵ＩＣカード発行用リーダライタが用いられる（たとえば、特許文献１参照）。
【０００３】
【特許文献１】
特開２０００−１４５２１９号公報（第３−４頁、図１）
【０００４】
【発明が解決しようとする課題】
ところで、特許文献１に記載されたＩＣカードを鍵として用いる技術では、鍵ＩＣカード発行用リーダライタが本人認証データの設定のために用いるインタフェースと、錠機構を解錠する際に解錠処理装置に設けたＩＣカードリーダライタがＩＣカードから本人認証データを読み出すために用いるインタフェースとが共用されており、解錠処理装置に設けたＩＣカードリーダライタによってＩＣカードの本人認証データが書き換えられるおそれがある。
【０００５】
特許文献１に記載の技術では、人証データ入力装置を併用しているから、ＩＣカードの内容が書き換えられても安全性が保たれると言えるものの、鍵となるＩＣカードを用いるほかに人証データ入力装置を操作するから施解錠の操作が面倒である。すなわち、鍵に設けたメモリの内容が第三者によって容易に書き換えられないようにすれば人証データ入力装置が不要になると言える。
【０００６】
本発明は上記事由に鑑みて為されたものであり、その目的は、錠機構の施解錠に用いる識別データを送信する経路と識別データを登録する経路とを分離することによって専用装置以外では識別データを書き込むことができないようにした電子キーを提供し、また電子キーと電子錠装置とに関連付けて電子キーに識別データを登録するための専用の読み書き装置を設けた電子鍵システムを提供し、さらに識別データを一括して管理する鍵束データベースを設け電子鍵システムとは規定の関係である識別データのみが電子キーに登録されるようにして識別データの安全性をさらに高めることができる鍵管理サーバを提供することにある。
【０００７】
【課題を解決するための手段】
請求項１ないし請求項３の発明は電子キーに関するものである。
【０００８】
請求項１の発明は、電子錠装置に設けた錠機構を施解錠するための識別データを１個または複数個登録可能なメモリからなる識別データ設定部と、前記識別データを送信するために前記電子錠装置と通信可能に接続するための送信部と、前記識別データ設定部に登録されるデータを入出力するために前記送信部とは別に設けたインタフェースと、前記電子錠装置と前記送信部との間における通信を制御するとともに前記インタフェースと前記識別データ設定部との間におけるデータの読み書きを制御する電子キー制御部と、前記識別データの読み書きを許可するための識別子を登録する固定データ登録部と、前記識別データと識別子との組を登録可能な鍵束データベースを備える鍵管理サーバとの通信が許可されるために必要なキーデータを記憶するキーデータ記憶部とを備え、前記電子キー制御部は、前記インタフェースに識別子が入力されると当該識別子と前記固定データ登録部に登録されている識別子とが一致する場合に前記キーデータ記憶部からキーデータを読み出して前記インタフェースに出力することを特徴とする。この構成によれば、錠機構の施解錠に際しては電子錠装置に識別データを送信する送信部を用い、メモリからなる識別データ設定部に識別データを登録する際には送信部とは別に設けたインタフェースを用いるから、識別データを電子錠装置に送信する経路と識別データ設定部に識別データを登録する経路とが分離され、専用装置以外では識別データを書き込むことができないことで識別データが第三者によって容易に書き換えられることがなく、識別データの安全性が高くなる。つまり、従来のような人証データ入力装置を併用しなくとも錠機構の施解錠の安全性を保つことができる。
【０００９】
また、一般に、１個人の所有する鍵には、家の鍵、自動車の鍵、職場の鍵、金庫の鍵のように複数種類の対象物（設備や機器）に適合する鍵があり、複数個の鍵をキーホルダに取り付けて携帯しているのが現状であって、個人が複数個の鍵を所有していると、どの鍵がどの対象物に対応するのかがわかりにくく、各鍵を順に試してみなければ施解錠ができず、使い勝手が悪いという問題がある。また、各鍵ごとにネームカードを取り付ければ各鍵と対象物との対応関係は明らかになるものの、鍵の個数が増えればかさばって携行に不便である。これに対して、識別データ設定部には複数個の識別データを設定することも可能であるから、１個の鍵を複数の対象物に設けた電子錠装置にそれぞれ適合可能として使い勝手を向上させるとともに携帯性を向上させることが可能になる。つまり、１個の電子キーによってそれぞれ鍵データが異なる複数個の錠機構を開閉することが可能になり、複数種類の対象物に設けられた錠機構を開閉するために、それぞれの錠機構に対応する複数個の鍵を携帯する必要がなく、使用者にとって利便性が高くなる。また、ホテルやマンションなどにおいて電子キーをマスタキーに用いることも可能であり、しかも１つの電子キーによって開閉できる錠機構の範囲を制限するような使用も可能になる。
【００１３】
加えて、鍵束データベースを備える鍵管理サーバから識別データが設定される場合に、キーデータを用いることによって鍵管理サーバと通信が許可されるから、鍵管理サーバが不用意にアクセスされることがなく、しかも、キーデータは識別子を入力しなければ出力されないから、キーデータが不用意に読み出される可能性を低減することができる。
【００１４】
請求項２の発明では、請求項１の発明において、前記識別子は、製造番号であることを特徴とする。この構成によれば、電子キーに個別に付与される製造番号を識別子とすることで、異なる電子キーに同じ識別子が付与されるのを防止することができる。
【００１５】
請求項３の発明では、請求項１の発明において、前記識別子は、前記電子錠装置の製造番号であることを特徴とする。この構成によれば、電子錠装置に個別に付与される製造番号を識別子に用いるから、電子キーを紛失したような場合でも、識別子を電気錠装置から取得して新たに電子キーを作製することが可能になる。
【００２３】
請求項４ないし請求項９の発明は電子鍵システムに関するものである。
【００２４】
請求項４の発明は、施解錠を行う錠機構と、前記錠機構を施解錠するための識別データと既定条件を満たす関係にある鍵データを登録する鍵データ記憶部と、前記識別データを受信するために電子キーと通信可能に接続するための受信部と、前記受信部を介して受信した識別データが前記鍵データ記憶部に登録されている鍵データと前記既定条件を満たしている場合には前記錠機構を施解錠する電子錠装置制御部とを備える電子錠装置を設け、錠機構を施解錠するための識別データを１個または複数個登録可能なメモリからなる識別データ設定部と、前記識別データを送信するために前記電子錠装置と通信可能に接続するための送信部と、前記識別データ設定部に登録されるデータを入出力するために前記送信部とは別に設けたインタフェースと、前記電子錠装置と前記送信部との間における通信を制御するとともに前記インタフェースと前記識別データ設定部との間におけるデータの読み書きを制御する電子キー制御部とを備える電子キーを設け、前記インタフェースを介して前記電子キーにおける前記識別データ設定部に対する識別データの読出と書込とが可能な読み書き装置を設け、前記識別データと前記識別データの読み書きを許可するための識別子との組を登録可能な鍵束データベースを有した鍵管理サーバを設け、前記読み書き装置は、前記鍵管理サーバとの間で通信回線を介してデータ伝送を行う伝送処理部と、前記識別子を入力する操作部とを備え、前記操作部から入力された識別子と組となる識別データが前記鍵束データベースに登録されている場合に、前記鍵束データベースから読み出した当該識別データを前記電子キーの識別データ設定部に書き込むことを特徴とする。
【００２５】
この構成によれば、錠機構の施解錠に際しては電子錠装置に識別データを送信する送信部を用い、メモリからなる識別データ設定部に識別データを登録する際には送信部とは別に設けたインタフェースを用いるから、識別データを電子錠装置に送信する経路と識別データ設定部に識別データを登録する経路とが分離され、専用の読み書き装置以外では識別データを書き込むことができないことで識別データが第三者によって容易に書き換えられることがなく、識別データの安全性が高くなる。つまり、従来のような人証データ入力装置を併用しなくとも錠機構の施解錠の安全性を保つことができる。
また、電子キーの識別データ設定部に複数個の識別データを登録すると、１個の電子キーによってそれぞれ鍵データが異なる複数個の錠機構を開閉することが可能になり、複数種類の対象物に設けられた錠機構を開閉するために、それぞれの錠機構に対応する複数個の鍵を携帯する必要がなく、使用者にとって利便性が高くなる。また、ホテルやマンションなどにおいて電子キーをマスタキーに用いることも可能であり、しかも１つの電子キーによって開閉できる錠機構の範囲を制限するような使用も可能になる。
【００２７】
その上、鍵管理サーバに設けた鍵束データベースによって各電子キーの識別データが一括して管理されるから、使用者の利便性が高くなる上に、鍵束データベースから識別データを読み出す際にアクセス権が識別子によって制限されるから識別データの漏洩を防止することができる。
【００２９】
請求項５の発明は、施解錠を行う錠機構と、前記錠機構を施解錠するための識別データと既定条件を満たす関係にある鍵データを登録する鍵データ記憶部と、前記識別データを受信するために電子キーと通信可能に接続するための受信部と、前記受信部を介して受信した識別データが前記鍵データ記憶部に登録されている鍵データと前記既定条件を満たしている場合には前記錠機構を施解錠する電子錠装置制御部とを備える電子錠装置を設け、錠機構を施解錠するための識別データを１個または複数個登録可能なメモリからなる識別データ設定部と、前記識別データを送信するために前記電子錠装置と通信可能に接続するための送信部と、前記識別データ設定部に登録されるデータを入出力するために前記送信部とは別に設けたインタフェースと、前記電子錠装置と前記送信部との間における通信を制御するとともに前記インタフェースと前記識別データ設定部との間におけるデータの読み書きを制御する電子キー制御部とを備える電子キーを設け、前記インタフェースを介して前記電子キーにおける前記識別データ設定部に対する識別データの読出と書込とが可能な読み書き装置を設け、前記識別データと前記識別データの読み書きを許可するための識別子との組を登録可能な鍵束データベースと、前記電子キーの使用者の個人情報を登録した使用者データベースとを有した鍵管理サーバを備え、前記読み書き装置は、前記鍵管理サーバとの間で通信回線を介してデータ伝送を行う伝送処理部と、前記識別子および前記電子キーの使用者の個人情報を入力する操作部とを備え、前記操作部から入力された個人情報に一致する個人情報が前記使用者データベースに登録され、かつ前記操作部から入力された識別子と組となる識別データが前記鍵束データベースに登録されている場合に、前記鍵束データベースから読み出した当該識別データを前記電子キーの識別データ設定部に書き込むことを特徴とする。この構成によれば、鍵管理サーバに設けた鍵束データベースによって各電子キーの識別データが一括して管理されるから、使用者の利便性が高くなる上に、鍵束データベースから識別データを読み出す際にアクセス権が電子キーの使用者の個人情報によって制限されるから識別データの漏洩を防止する効果が高くなる。
【００３０】
請求項６の発明は、施解錠を行う錠機構と、前記錠機構を施解錠するための識別データと既定条件を満たす関係にある鍵データを登録する鍵データ記憶部と、前記識別データを受信するために電子キーと通信可能に接続するための受信部と、前記受信部を介して受信した識別データが前記鍵データ記憶部に登録されている鍵データと前記既定条件を満たしている場合には前記錠機構を施解錠する電子錠装置制御部とを備える電子錠装置を設け、錠機構を施解錠するための識別データを１個または複数個登録可能なメモリからなる識別データ設定部と、前記識別データを送信するために前記電子錠装置と通信可能に接続するための送信部と、前記識別データ設定部に登録されるデータを入出力するために前記送信部とは別に設けたインタフェースと、前記電子錠装置と前記送信部との間における通信を制御するとともに前記インタフェースと前記識別データ設定部との間におけるデータの読み書きを制御する電子キー制御部とを備える電子キーを設け、前記インタフェースを介して前記電子キーにおける前記識別データ設定部に対する識別データの読出と書込とが可能な読み書き装置を設け、前記識別データと前記識別データの読み書きを許可するための識別子との組を登録可能な鍵束データベースと、前記電子錠装置の使用者の個人情報を登録した使用者データベースとを有した鍵管理サーバを備え、前記読み書き装置は、前記鍵管理サーバとの間で通信回線を介してデータ伝送を行う伝送処理部と、前記識別子および前記電子錠装置の使用者の個人情報を入力する操作部とを備え、前記操作部から入力された個人情報に一致する個人情報が前記使用者データベースに登録され、かつ前記操作部から入力された識別子と組となる識別データが前記鍵束データベースに登録されている場合に、前記鍵束データベースから読み出した当該識別データを前記電子キーの識別データ設定部に書き込むことを特徴とする。この構成によれば、鍵管理サーバに設けた鍵束データベースによって各電子キーの識別データが一括して管理されるから、使用者の利便性が高くなる上に、鍵束データベースから識別データを読み出す際にアクセス権が電子錠装置の使用者の個人情報によって制限されるから識別データの漏洩を防止する効果が高くなる。
【００３１】
請求項７の発明では、請求項５または請求項６の発明において、前記鍵管理サーバは、前記使用者データベースに登録された使用者毎の鍵束データベースへのアクセス状況を監視するアクセス状況監視部と、使用者毎に一定期間毎のアクセス状況に応じた使用料を計算する課金計算部と、各使用者が口座を開設している金融機関の金融機関サーバと通信可能であって前記課金計算部により求めた各使用者毎の使用料を金融機関サーバにおける該当する口座から自動的に引き落とすように処理する精算処理部とを備えることを特徴とする。この構成によれば、鍵束データベースへのアクセス状況に応じた使用料を自動的に徴収することができる。
【００３２】
請求項８の発明では、請求項５または請求項６の発明において、前記読み書き装置と前記鍵管理サーバとの間の通信回線を提供する通信サービス会社のキャリアサーバが前記通信回線に接続され、前記キャリアサーバが、前記使用者データベースに登録された使用者の鍵束データベースへのアクセス状況を監視するアクセス状況監視部と、使用者毎に一定期間毎のアクセス状況に応じた使用料および通信回線の使用料を計算する課金計算部と、各使用者が口座を開設している金融機関の金融機関サーバと通信可能であって前記課金計算部により求めた各使用者毎の使用料を金融機関サーバにおける該当する口座から自動的に引き落とすように処理する精算処理部とを備え、前記精算処理部で求めた前記鍵束データベースへのアクセス状況に応じた使用料を前記鍵管理サーバに通知することを特徴とする。この構成によれば、鍵束データベースへのアクセス状況に応じた使用料を自動的に徴収することができ、しかも料金徴収は通信サービス会社が代行することになり、鍵束データベースを保有する業者にとって使用料の徴収に対する負担が少ない。
【００３３】
請求項９の発明では、請求項４の発明において、前記識別子は、当該識別子によって読み書きを許可される識別データで施解錠される錠機構を備える電子錠装置の製造番号であることを特徴とする。この構成によれば、電子キーを紛失したような場合でも、電子錠装置の製造番号を用いて鍵管理サーバから識別データを電子キーに登録することが可能になる。
【００３４】
請求項１０ないし請求項１２の発明は鍵管理サーバに関するものである。
【００３５】
請求項１０の発明は、施解錠を行う錠機構と、前記錠機構を施解錠するための識別データと既定条件を満たす関係にある鍵データを登録する鍵データ記憶部と、前記識別データを受信するために電子キーと通信可能に接続するための受信部と、前記受信部を介して受信した識別データが前記鍵データ記憶部に登録されている鍵データと前記既定条件を満たしている場合には前記錠機構を施解錠する電子錠装置制御部とを備える電子錠装置を設け、錠機構を施解錠するための識別データを１個または複数個登録可能なメモリからなる識別データ設定部と、前記識別データを送信するために前記電子錠装置と通信可能に接続するための送信部と、前記識別データ設定部に登録されるデータを入出力するために前記送信部とは別に設けたインタフェースと、前記電子錠装置と前記送信部との間における通信を制御するとともに前記インタフェースと前記識別データ設定部との間におけるデータの読み書きを制御する電子キー制御部とを備える電子キーを設け、前記インタフェースを介して前記電子キーにおける前記識別データ設定部に対する識別データの読出と書込とが可能な読み書き装置を設けた電子鍵システムに用いる前記読み書き装置との間で通信回線を介してデータ伝送が可能であって、前記識別データと前記識別データの読み書きを許可するための識別子との組を登録可能な鍵束データベースを有し、前記読み書き装置に設けた操作部から入力される識別子と組となる識別データが前記鍵束データベースに登録されている場合に、当該識別データを前記読み書き装置を介して前記電子キーの識別データ設定部に書き込ませることを特徴とする。この構成によれば、請求項１４の発明と同様に、錠機構の施解錠に際しては電子錠装置に識別データを送信する送信部を用い、メモリからなる識別データ設定部に識別データを登録する際には送信部とは別に設けたインタフェースを用いるから、識別データを電子錠装置に送信する経路と識別データ設定部に識別データを登録する経路とが分離され、専用の読み書き装置以外では識別データを書き込むことができないことで識別データが第三者によって容易に書き換えられることがなく、識別データの安全性が高くなる。つまり、従来のような人証データ入力装置を併用しなくとも錠機構の施解錠の安全性を保つことができる。しかも、鍵管理サーバに設けた鍵束データベースによって各電子キーの識別データが一括して管理されるから、使用者の利便性が高くなる上に、鍵束データベースから識別データを読み出す際にアクセス権が識別子によって制限されるから識別データの漏洩を防止することができる。
【００３６】
請求項１１の発明は、施解錠を行う錠機構と、前記錠機構を施解錠するための識別データと既定条件を満たす関係にある鍵データを登録する鍵データ記憶部と、前記識別データを受信するために電子キーと通信可能に接続するための受信部と、前記受信部を介して受信した識別データが前記鍵データ記憶部に登録されている鍵データと前記既定条件を満たしている場合には前記錠機構を施解錠する電子錠装置制御部とを備える電子錠装置を設け、錠機構を施解錠するための識別データを１個または複数個登録可能なメモリからなる識別データ設定部と、前記識別データを送信するために前記電子錠装置と通信可能に接続するための送信部と、前記識別データ設定部に登録されるデータを入出力するために前記送信部とは別に設けたインタフェースと、前記電子錠装置と前記送信部との間における通信を制御するとともに前記インタフェースと前記識別データ設定部との間におけるデータの読み書きを制御する電子キー制御部とを備える電子キーを設け、前記インタフェースを介して前記電子キーにおける前記識別データ設定部に対する識別データの読出と書込とが可能な読み書き装置を設けた電子鍵システムに用いる前記読み書き装置との間で通信回線を介してデータ伝送が可能であって、前記識別データと前記識別データの読み書きを許可するための識別子との組を登録可能な鍵束データベースと、前記電子キーと前記電子錠装置との一方の使用者の個人情報を登録した使用者データベースとを有し、前記読み書き装置に設けた操作部から入力される個人情報に一致する個人情報が前記使用者データベースに登録され、かつ前記操作部から入力された識別子と組となる識別データが前記鍵束データベースに登録されている場合に、当該識別データを前記読み書き装置を介して前記電子キーの識別データ設定部に書き込ませることを特徴とする。この構成によれば、請求項１４の発明と同様に、錠機構の施解錠に際しては電子錠装置に識別データを送信する送信部を用い、メモリからなる識別データ設定部に識別データを登録する際には送信部とは別に設けたインタフェースを用いるから、識別データを電子錠装置に送信する経路と識別データ設定部に識別データを登録する経路とが分離され、専用の読み書き装置以外では識別データを書き込むことができないことで識別データが第三者によって容易に書き換えられることがなく、識別データの安全性が高くなる。つまり、従来のような人証データ入力装置を併用しなくとも錠機構の施解錠の安全性を保つことができる。しかも、鍵管理サーバに設けた鍵束データベースによって各電子キーの識別データが一括して管理されるから、使用者の利便性が高くなる上に、鍵束データベースから識別データを読み出す際にアクセス権が識別子および電子キーまたは電子錠装置の使用者の個人情報によって制限されるから識別データの漏洩を防止することができる。
【００３７】
請求項１２の発明は、請求項１０の発明において、前記使用者データベースに登録された使用者毎の鍵束データベースへのアクセス状況を監視するアクセス状況監視部と、使用者毎に一定期間毎のアクセス状況に応じた使用料を計算する課金計算部と、各使用者が口座を開設している金融機関の金融機関サーバと通信可能であって前記課金計算部により求めた各使用者毎の使用料を金融機関サーバにおける該当する口座から自動的に引き落とすように処理する精算処理部とを備えることを特徴とする。この構成によれば、鍵束データベースへのアクセス状況に応じた使用料を自動的に徴収することができる。
【００３８】
【発明の実施の形態】
以下に説明する実施形態では、住宅の鍵と自動車の鍵とを共通の電子キーによって実現する例を示すが、鍵によって施解錠される錠機構を備える対象物の種類については例示するものに限定されない。また、電子キーは、人体に装着する形式のものを例示するが、鍵穴に差し込むブレードを有した従来形状の鍵やカード型の形状を有したカードキーなどにＩＣチップを埋め込んだものなども可搬であれば電子キーに用いることが可能である。ただし、以下の実施形態で用いる形式以外の電子キーを用いる場合には、電子キーに登録した識別データを電子錠装置で読み取る際における信号の伝送路や伝送する信号の形式については周知技術が適宜採択される。
【００３９】
（基本構成１）
本例は、図１に示すように、人Ｍに識別データを登録した電子キー１０が装着され、住宅のような錠機構２９が取り付けられる対象物Ｏｂには人Ｍによって接触可能な接触電極２１が設けられる。接触電極２１は電子キー１０からの識別データを受け取る電子錠装置２０に付設され、人Ｍが接触電極２１に触れることによって、電子キー１０と電子錠装置２０との間に人Ｍを通る伝送路が形成され、電子キー１０から電子錠装置２０に人Ｍを通して識別データが伝送される。ここに、識別データは各対象物Ｏｂごとに異ならせてある。
【００４０】
本例においては、電子キー１０と電子錠装置２０との間で伝送されるデータは変調され、変調方式は搬送波に交流信号を用いたＡＳＫ変調方式を採用している。ただし、この変調方式は一例であって他の変調方式を採用してもよい。電子キー１０は、たとえば、図６に示すように腕時計型の筐体４０を有し、電子キー１０を装着したときに筐体４０の一面が人体Ｍに直接接触する。電子キー１０は、図２に示すように、筐体４０において人Ｍに直接接触する面に設けた２個の通信電極１１，１２を備える。両通信電極１１，１２はデータ送信部１３に接続される。電子キー１０には、識別データを複数個格納することができる不揮発性メモリからなる識別データ設定部１４が設けられ、識別データ設定部１４に格納された識別データはマイコンからなる電子キー制御部１５で識別データ設定部１４から読み出され、データ送信部１３によりＡＳＫ変調方式で変調された後に両通信電極１１，１２に印加される。電子キー１０にはインタフェース１８が設けられ、識別データ設定部１４に対してインタフェース１８を介して識別データの読出と書込とが可能になっている。インタフェース１８は、後述する読み書き装置３０が接続可能であって、読み書き装置３０により識別データ設定部１４に対する識別データの読出と書込とが行われる。
【００４１】
電子キー１０の電源は電池１６であって電力容量が比較的小さいから、電子キー１０には、通常に動作させる通常モードと、電力消費を通常時よりも少なくする待機モードとが用意されており、電子錠装置２０に設けた接触電極２１に人Ｍが接触していない間には待機モードとなって電力消費が抑制されるようにしてある。すなわち、データ送信部１３および識別データ設定部１４への電池１６からの給電経路には電子キー制御部１５により開閉制御されるスイッチ要素ＳＷ１，ＳＷ２が挿入され、待機モードでは電子キー制御部１５がスイッチ要素ＳＷ１，ＳＷ２をオフにするとともに電子キー制御部１５がいわゆるスリープモードになり電子キー制御部１５において起動に必要な機能以外が停止する。なお、図２、図３において破線は電源の供給経路を示す。
【００４２】
待機モードではデータ送信部１３に電力が供給されず、電子キー制御部１５もスリープモードになっているから、人Ｍが接触電極２１に接触したことを検出するためにスタート信号検出部１７をデータ送信部１３とは別に設けてある。スタート信号検出器１７は通信電極１１および通信電極１２（もしくは、電子キー１０の回路グランド）に接続され、電子キー１０を装着した人Ｍが電子錠装置２０の接触電極２１に接触したときに、電子錠装置２０から後述するスタート信号を受信し、スタート信号検出器１７はスタート信号を受信すると電子キー制御部１５を起動する。電子キー制御部１５が起動すれば通常モードに移行し、電子キー制御部１５はスイッチ要素ＳＷ１，ＳＷ２をオンにすることにより、データ送信部１３および識別データ設定部１４に電池１６からの電力を供給する。ここに、電子キー制御部１５にはタイマが内蔵されており、通常モードが開始されるとタイマが時限動作を開始し、タイマの時限動作が終了すると電子キー制御部１５は再び待機モードに戻るように構成してある。タイマによる時限時間、すなわち通常モードの１回の動作時間は電子錠装置２０から電子キー１０が識別データを受信するのに必要な時間に設定されている。
【００４３】
一方、電子錠装置２０は、図３に示すように、接触電極２１が付設されるとともに、回路グランドに接続される接地端子２２が設けられる。接触電極２１はデータ受信部２３に接続される。データ受信部２３は接触電極２１と接地端子２２との間に印加された電圧から変調信号の搬送波に相当する周波数成分成分のみを帯域フィルタによって抽出した後に、帯域フィルタの出力を２系統に等分し、等分した信号の一方の位相を他方に対して１８０度遅延させ、遅延させていない信号と遅延させた信号とを加算することによって雑音成分を除去する雑音除去手段を備える。すなわち、本例では、電子キー１０からの変調信号がＡＳＫ変調方式で変調されているから、接触電極２１と接地端子２２との間に印加される電圧には、図５（ａ）に示すように、振幅の大きい期間（以下、Ｈ期間という）Ｓｈと振幅の小さい期間（以下、Ｌ期間という）Ｓｌとが存在する（図示例は帯域フィルタを通過した後の波形を想定している）。Ｌ期間Ｓｌにおける信号成分は雑音成分であるから、変調信号から識別データを抽出するには、雑音成分を除去して信号成分を抽出する必要がある。
【００４４】
雑音成分を除去する技術として、接触電極２１と接地端子２２との間に印加される電圧に対して閾値を設定することが考えられるが、雑音成分は種々の条件（発汗の程度、人の周囲の部材の材質や配置）によって大きく変動するから閾値として一定値を設定しても信号成分を雑音成分から完全に分離することは困難である。そこで、本例では、接触電極２１と接地端子２２との間に印加される信号を２系統に等分し、一方の信号の位相を図５（ｂ）のように他方の信号（つまり、図５（ａ）と同位相の信号）に対して１８０度遅延させ、両信号を加算して図５（ｃ）のような信号を生成している。要するに、図５（ａ）と図５（ｂ）とに示す信号の各半サイクルごとの振幅を比較するとわかるように、振幅の絶対値が異なるのは、Ｈ期間Ｓｈの開始時点に位置する半サイクルと、Ｌ期間Ｓｌの開始時点に位置する半サイクルとになる。つまり、Ｈ期間Ｓｈの開始時点では遅延していない信号が遅延した信号の半サイクルよりも振幅が大きくなり、Ｌ期間Ｓｌの開始時点では遅延した信号が遅延していない信号の半サイクルよりも振幅が大きくなる。ここに、Ｈ期間Ｓｈを正の半サイクル（つまり、図５における上の半サイクル）で開始し負の半サイクル（つまり、図５における下の半サイクル）で終了するように規定しておけば、図５（ｃ）のように、Ｈ期間Ｓｈの開始時点で正の信号を取り出すことができ、Ｌ期間Ｓｌの開始時点で負の信号を取り出すことができる。同様の信号を取り出すために、接触電極２１と接地端子２２との間の電圧の包絡線を検出した後に微分する構成を採用してもよい。また、正負の符号については逆の構成でもよく、遅延した信号と遅延していない信号とを加算する代わりに減算することも可能である。
【００４５】
上述のようにしてＨ期間ＳｈとＬ期間Ｓｌとの開始時点を抽出すれば、Ｈ期間Ｓｈの開始を示す信号に呼応してＨレベルの信号を生成し、Ｌ期間Ｓｌの開始を示す信号に呼応してＬレベルの信号を生成すれば、電子キー１０から伝送された識別データを抽出したことになる。
【００４６】
上述したように、電子キー１０は人Ｍが接触電極２１に接触したときにスタート信号を受け取って待機モードから通常モードに移行するから、電子錠装置２０は人Ｍが接触電極２１に接触したときに、接触電極２１からスタート信号を送出する必要がある。本例の電子錠装置２０は、接触電極２１に人Ｍが接触したことを検知するために、接触電極２１に接触検知部２６が接続され、接触検知部２６では周知のタッチスイッチと同様に機能して接触電極２１に人Ｍが接触したことを検知すると電子錠装置制御部２５に通知するように構成してある。この種の接触検知部２６にはタッチセンサとして周知の技術を用いる。この種の技術としては、たとえば、接触電極２１の周囲に外周電極を形成して接触電極２１と外周電極とによって平面コンデンサを形成し、接触電極２１への人体の近接による平面コンデンサの容量変化によって人Ｍの接触を検知する構成が知られている。接触電極２１への人Ｍの接触が接触検知部２６によって検知されると、電子錠装置制御部２５では接触電極２１に接続されたスタート信号発生部２７を作動させ、スタート信号発生部２７によって接触電極２１に接触している人Ｍに装着された電子キー１０にスタート信号を伝送する。スタート信号は一定振幅の正弦波信号を用いる。ただし、このスタート信号は一例であって他の形態の信号を用いてもよい。
【００４７】
電子錠装置２０は電源回路２８を備えており、家Ｏｂ１などに取り付ける場合には電源回路２８は商用電源に接続され、自動車Ｏｂ２などに取り付ける場合には電源回路２８が電池に接続される。この電源回路２８からデータ受信部２３およびスタート信号発生部２７への電源の供給経路にはスイッチ要素ＳＷ３，ＳＷ４がそれぞれ挿入される。両スイッチ要素ＳＷ３，ＳＷ４は電子錠装置制御部２５により開閉制御される。電子錠装置制御部２５は接触検知部２６において接触電極２１への人Ｍの接触が検知されたときに起動する部分を除いて機能を停止させるスリープモードを有しており、接触検知部２６により接触電極２１への人Ｍの接触が検知されるとスリープモードを解除する。さらに、電子錠装置制御部２５はスリープモードが解除されると時限を開始するタイマを内蔵し、タイマの時限動作中にのみスイッチ要素ＳＷ３，ＳＷ４をオンにしてスタート信号を発生させ、その後に受信される変調信号をデータ受信部２３において復調する。タイマの時限時間は識別データを受信するのに必要な時間に設定してある。
【００４８】
上述した電子キー１０と電子錠装置２０とは、図１に示すように、電子キー１０を通信電極１１，１２の一方を手首側に位置させ他方を肩側に位置させるように人Ｍに装着しておき、電子錠装置２０に設けた接触電極２１に人Ｍの指先や手を接触すると、通信電極１１と接触電極２１との間の人Ｍが伝送路として機能し、通信電極１２と接地端子２２との間は人Ｍを含むインピーダンスＺｘ（通信電極１２と人Ｍとの界面のインピーダンスＺ１＋人ＭのインピーダンスＺ２＋人Ｍと接地端子２２との間のインピーダンスＺ３（容量成分Ｃｘ））を通して結合されることになる。つまり、電子キー１０と電子錠装置２０との間にはインピーダンスＺｘの比較的小さいループ状の経路が形成され、電子キー１０から送信される変調信号を電子錠装置２０において受信することが可能になる。容量成分Ｃｘは接地端子２２と人Ｍとの距離や周囲環境によって大きく変動し、また伝送路のインピーダンスＺｘは容量成分Ｃｘの大きさだけではなく人Ｍでの発汗の程度によっても大きく変化するから、人Ｍに流れる電流の上限がたとえば５００μＡよりも小さくなるように設計される。
【００４９】
ここにおいて、容量成分Ｃｘの一方の電極として人Ｍを用いることになるから、通信電極１２に接続される導電体の面積を一定とすれば、通信電極１２が人Ｍに直接接触していない場合に比較すると通信電極１２と人Ｍとの界面のインピーダンスＺ１が小さくなることにより通信電極１２と接地端子２２との間のインピーダンスＺｘが小さくなり、結果的に電子キー１０は比較的小さいエネルギで電子錠装置２０に対して識別データを伝送することが可能になる。なお、電子錠装置２０の接地端子２２は対象物Ｏｂの適宜箇所に接地される。
【００５０】
電子錠装置２０には対象物Ｏｂの施解錠を行う錠機構２９が設けられる。錠機構２９は、たとえばデッドボルトを有しモータないしソレノイドによってデッドボルトを進退させることによって対象物Ｏｂの施解錠を行うものを用いる。この種の錠機構２９は電気錠において採用されている。ところで、電子錠装置制御部２５には電子キー１０から伝送される識別データと既定条件を満たす関係である鍵データが登録される鍵データ記憶部２４が設けられている。ここに、識別データと既定条件を満たす関係とは、識別データと一致する場合のほか、定められた規則に従って識別データと組み合わせると規定値が得られるような関係を意味する。しかして、電子錠装置制御部２５では、電子キー１０から伝送された識別データと鍵データ記憶部２４に格納された鍵データとが既定条件を満たすときに錠機構２９の施解錠を行う。錠機構２９を施錠するか解錠するかは、鍵データが入力された時点での錠機構２９の施解錠状態により、施錠状態であれば解錠し、解錠状態であれば施錠する。また、上述のように電子キー１０には複数の識別データを登録可能であるから、電子キー１０に登録された識別データのうちのいずれかと鍵データとが既定条件を満たすときに錠機構２９の施解錠が行われる。なお、鍵データ記憶部２４は、マスクＲＯＭ、ディップスイッチ、ジャンパスイッチ、回路パターンなどを用いて鍵データが変更不可能になるように構成することができるが、不揮発性メモリを用いて鍵データを変更可能に構成してもよい。
【００５１】
上述した電子錠装置２０の施解錠に関する動作をまとめて簡単に説明する。まず、電子キー１０を装着した人Ｍが接触電極２１に接触すると、接触検知部２６が電子錠装置２０に設けた電子錠装置制御部２５のスリープモードを解除し、データ受信部２３およびスタート信号発生部２７に電源回路２８から電源が供給される。スタート信号発生部２７に電源が供給されるとスタート信号が接触電極２１から送出され、電子キー１０において通信電極１１にスタート信号が入力される。電子キー１０ではスタート信号検出部１７がスタート信号を検出すると、電子キー制御部１５のスリープモードが解除され、データ送信部１３および識別データ設定部１４に電池１６から電源が供給される。また、電子キー制御部１５に内蔵したタイマが時限動作を開始する。識別データ設定部１４に電源が供給されると、識別データ設定部１４から識別データが読み出され、電子キー制御部１５を通して識別データがデータ送信部１３に入力され、データ送信部１３では通信電極１１を通して識別データを変調した変調信号を送出する。
【００５２】
電子錠装置２０ではスタート信号の送出後に電子錠装置制御部２５に内蔵したタイマが時限動作を開始するとともに、データ受信部２３が変調信号の受信を待機する。つまり、電子錠装置２０はスタート信号の送出後に変調信号の受信を待機する状態になり、変調信号を受信するとデータ受信部２３で復調し、復調した識別データを鍵データと照合する。上述のように識別データと鍵データとが既定条件を満たすときには、電子錠装置制御部２５によって錠機構２９の施解錠が指示され、既定条件を満たさなければ錠機構２９の施解錠は行われない。
【００５３】
電子キー１０および電子錠装置２０の電子キー制御部１５と電子錠装置制御部２５とは、ともにスタート信号が入力された後にタイマによる時限動作を開始しており、識別データの伝送が終了した後にはタイマの時限が終了して再びスリープモードに移行する。
【００５４】
上述の構成例では、電子キー１０と電子錠装置２０との間でのデータの伝送方向は、電子キー１０から電子錠装置２０に向かう一方通行であるから、電子キー１０から電子錠装置２０に対して確認応答を返送することができない。そこで、電子キー１０から電子錠装置２０に対して同じ内容の変調信号を複数回送信することによって電子錠装置２０においてエラーを検出しなかったデータを採用するのが望ましい。
【００５５】
ところで、電子キー１０における識別データ設定部１４に対して識別データの読出と書込とを行うために、上述のようにインタフェース１８に読み書き装置３０が接続可能になっている。読み書き装置３０は、図４に示すように、電子キー１０のインタフェース１８に接続可能なインタフェース３１を備え、インタフェース３１には識別データ設定部１４に対して識別データの読出と書込との処理を行うデータ転送処理部３２が接続される。データ転送処理部３２にはメモリが内蔵され、電子キー１０から読み出した識別データの記憶が可能になっている。また、読み書き装置３０にはデータ転送処理部３２に対して識別データの読出と書込との指示を行う押釦スイッチからなる操作部３３が設けられる。操作部３３として１個の押釦スイッチを設ける場合には、１回目の押操作によって電子キー１０から識別データを読み出し、１回目の押操作から所定時間内に２回目の押操作を行うとデータ転倒処理部３２に記憶した識別データを電子キー１０に書き込むようにする。また、操作部３３として２個の押釦スイッチを設ける場合には、一方を読出の指示に用い、他方を書込の指示に用いる。操作部３３によって読出の指示を行えば、読み書き装置３０から電子キー１０に対して読出コマンドが送出され、電子キー１０の電子錠装置制御部２５では読出コマンドが入力されると識別データを読み書き装置に引き渡すのである。ここで、識別データ設定部１４に複数個の識別データが登録されている場合には、すべての識別データが読み出される。
【００５６】
いま、図７に示すように、家Ｏｂ１の錠機構２９を施解錠するための電子キー１０をすでに持っており、新たに自動車Ｏｂ２の錠機構２９を施解錠するための電子キー１０を入手した場合を想定する。このような場合に、家Ｏｂ１に対する電子キー１０に加えて自動車Ｏｂ２に対する電子キー１０が追加されるから２個の電子キー１０を持つことになるが、１個の電子キー１０によって家Ｏｂ１と自動車Ｏｂ２との両方に共用できれば各対象物Ｏｂに適合する電子キー１０を探す必要がなく利便性が高くなるとともに携帯にも便利である。そこで、自動車Ｏｂ２に対する電子キー１０の識別データを家Ｏｂ１に対する電子キー１０に書き込むことになる（自動車Ｏｂ２と家Ｏｂ１との関係は逆でもよい）。つまり、１個の電子キー１０に家Ｏｂ１と自動車Ｏｂ２とに対応した２個の識別データが登録される。上述したように、電子錠装置２０では電子キー１０に複数個の識別データが登録されているときに、電子錠装置２０に登録されている鍵データと既定条件を満たす関係である識別データがあれば錠機構２９の施解錠を行うから、家Ｏｂ１と自動車Ｏｂ２とに異なる鍵データを設定した電子錠装置２０を設けておけば、２個の識別データが登録された電子キー１０によって家Ｏｂ１と自動車Ｏｂ２との施解錠が可能になる。
【００５７】
本例においてデータ転送処理部３２は、操作部３３により読出の指示を行えば電子キー１０に読出コマンドを送信して読み出した識別データを一旦記憶し、操作部３３により書込の指示を行えば別の電子キー１０に識別データを書き込むように構成している。これに対して、図８に示すように、読み書き装置３０に２個の電子キー１０を接続可能とし、操作部３３により転送の指示を行うとデータ転送処理部３２が一方の電子キー１０に読出コマンドを送出して識別データを読み出し、読み出した識別データを他方の電子キー１０に転送して書き込む構成を採用してもよい。この構成では操作部３３を１回操作するだけで２個の電子キー１０の間で識別データの転送が可能になり、読み書き装置３０の操作が一層容易になる。
【００５８】
（基本構成２）
基本構成１では、読み書き装置３０から電子キー１０に対して読出コマンドを送出することにより電子キー１０から識別データを読み出しているが、本例では、図９に示すように、電子キー１０の製造番号データを登録した固定データ登録部１９を電子キー１０に設け、読み書き装置３０から照会された製造番号データが固定データ登録部１９に登録された製造番号データに一致したときに、電子キー１０から読み書き装置３０に識別データが転送されるようにしてある。したがって、本例の読み書き装置３０の操作部３３は、図１０に示すように、製造番号データを入力することができるテンキーのような複数個の押釦スイッチを備える（図１０において操作部３３として示した黒丸が押釦スイッチを示す）。この構成では、読み書き装置３０によって電子キー１０の製造番号データを入力しなければ電子キー１０から識別データを読み出すことができないから、識別データが不用意に読み出される可能性が少なくなる。
【００５９】
さらに、読み書き装置３０から照会された製造番号データが固定データ登録部１９に登録された製造番号データに一致したときに、電子キー１０の電子キー制御部１５は、読み書き装置３０から送出された識別データを識別データ設定部１４に書き込むようにしてある。したがって、この構成では、読み書き装置３０によって電子キー１０の製造番号データを入力しなければ読み書き装置３０から電子キー１０の識別データ設定部１４に識別データを書き込むことができないから、識別データが不用意に書き込まれたり、あるいは識別データを上書きされる可能性が少なくなる。
【００６０】
このように本例における製造番号データは、識別データの読み書きを許可するために個々の識別データに割り当てられた識別子の一例である。
【００６１】
なお、固定データ登録部１９に登録した製造番号データは一般には書換不能であるが、２個の電子キー１０の間で識別データだけではなく製造番号データも転送可能となるように読み書き装置３０を構成してもよい。この場合、識別データ設定部１４に識別データが登録されていないだけではなく、固定データ登録部１９にも製造番号データが登録されていないブランクキーに製造番号データおよび識別データを登録することが可能になる。他の構成および動作は基本構成１と同様である。
【００６２】
（実施形態１）
上述した構成例では、読み書き装置３０が電子キー１０にのみ接続可能となていたが、図１１のように本実施形態では読み書き装置３０が伝送処理部３４を備え、図１２のように読み書き装置３０が伝送処理部３４を介して鍵管理サーバ５０との間でデータ伝送を行う例を示す。伝送処理部３４はデータ伝送が可能であれば通信回線ＮＴが有線か無線かは問わないが、本実施形態では携帯電話（ＰＨＳを含む）を通信回線ＮＴに用いている。携帯電話とデータ転送処理部３２との接続は、接続ケーブルなどで行う。通信回線ＮＴと鍵管理サーバ５０との接続には、インタネットのようなネットワークを用いることができるが、鍵管理サーバ５０と読み書き装置３０とはネットワークを通さずに接続してもよい。
【００６３】
鍵管理サーバ５０には複数個の電子キー１０の製造番号データと識別データとの組を登録可能な鍵束データベースＤＢ１が設けられている。鍵束データベースＤＢ１へのデータの登録は、電子キー１０を用いる設備ないし機器を購入したときに販売者によって行われる。つまり、販売者は図示しない端末によって鍵管理サーバ５０に接続することができ、設備ないし機器を販売したときに設備ないし機器に付属する電子キー１０の製造番号データと、設備ないし機器に付属する電子錠装置２０の鍵データに対応した識別データとを鍵束データベースＤＢ１に登録する。したがって、鍵束データベースＤＢ１には製造番号データと識別データとの組が登録される。
【００６４】
一方、読み書き装置３０の操作部３３は、基本構成２と同様に、製造番号データの入力が可能であり、読み書き装置３０を通信回線ＮＴを介して鍵管理サーバ５０に接続した状態で、読み書き装置３０の操作部３３から製造番号データを入力すると、入力された製造番号データと組になる識別データが鍵束データベースＤＢ１から読み出され、当該識別データが電子キー１０の識別データ設定部１４に書き込まれる。
【００６５】
上述したように、本実施形態の構成では電子キー１０によって施解錠される設備や機器が販売されたときに、販売者が鍵束データベースＤＢ１に製造番号データと識別データとを組にして登録するから、電子キー１０の使用者は電子キー１０を読み書き装置３０に接続して鍵束データベースＤＢ１にアクセスし、製造番号データを用いて識別データを電子キー１０に取り込むことができる。このように、本実施形態では識別データが鍵管理サーバ５０に登録されかつ電子キー１０に直接書き込まれるから、使用者であっても識別データを知ることがなく識別データが漏洩する可能性が少なくなる。また、鍵束データベースＤＢ１にアクセスする際のアクセス権が製造番号データによって制限されるから、このことによっても識別データの漏洩を防止することができる。他の構成および動作は基本構成１と同様である。
【００６６】
なお、本実施形態では、携帯電話の通信を行うための送受信部を伝送処理部３４に用いているが、読み書き装置３０の機能を携帯電話に組み込んでもよい。この場合には、インタフェース３１は、携帯電話の接続コネクタに相当し、データ転送処理部３２は、携帯電話の動作を制御するマイクロプロセッサなどの内部回路に相当し、操作部３３は、携帯電話の電話番号やアルファベットを入力するキーに相当する。このように読み書き装置３０を携帯電話に組み込むことにより、携帯電話の通信範囲内においてどこからでも鍵管理サーバ５０と通信することができ、しかも、読み書き装置３０を単体で製造する場合に比べて低コストで製造することができる。
【００６７】
あるいはまた、通信回線に接続可能なパーソナルコンピュータで読み書き装置３０を実現するプログラムを実行してもよい。この場合には、インタフェース３１は、パーソナルコンピュータのシリアルインタフェース（ＵＳＢインタフェースを含む）、パラレルインタフェースなどのインタフェースに相当し、データ転送処理部３２は、パーソナルコンピュータの動作を制御するマイクロプロセッサなどの内部回路に相当し、操作部３３は、パーソナルコンピュータのキーボードやマウスなどの入力装置に相当し、伝送処理部３４は、電話回線で通信を行うためのモデムあるいはデジタル通信回線で通信を行うためのＤＳＵなどに相当する。このように読み書き装置３０をパーソナルコンピュータで実現することにより、読み書き装置３０の諸機能をプログラムによって容易に実現することができ、読み書き装置３０を単体で製造する場合に比べて低コストで製造することができる。
【００６８】
また、本実施形態において、読み書き装置３０と鍵管理サーバ５０との接続を許可するキーデータを用いてもよい。すなわち、電子キー１０にキーデータを記憶するキーデータ記憶部（図示せず）を付加して設け、鍵管理サーバ５０は、このキーデータを受け付けたときに読み書き装置３０と通信可能になるように構成する。
【００６９】
この構成では、読み書き装置３０が鍵管理サーバ５０との通信を行おうとする場合には、まず、読み書き装置３０の操作部３３から製造番号データが入力される。製造番号データが入力されると、読み書き装置３０から製造番号データが電子キー１０に送出され、電子キー１０の電子キー制御部１５は、読み書き装置３０からの製造番号データと固定データ登録部１９の製造番号データとを比較し、一致する場合には、読み書き装置３０にキーデータを返送する。読み書き装置３０は、このキーデータを用いて鍵管理サーバ５０と通信を確立し、上述した動作と同様に、製造番号データを用いて識別データを電子キー１０に取り込む。ここに、キーデータは、読み書き装置３０が鍵管理サーバ５０と通信可能となるために必要であるから、通信終了後に読み書き装置３０に記憶しておいてもよいが、読み書き装置３０から消去してもよい。
【００７０】
読み書き装置３０と鍵管理サーバ５０との通信の確立は、読み書き装置３０と鍵管理サーバ５０とが回線を接続したとしても鍵管理サーバ５０が読み書き装置３０からキーデータを受信しなければ応答しないという規約を設定するソフトウェア的な技術、読み書き装置３０が電子キー１０からキーデータを受信しなければ伝送処理部３４を作動させないハードウェア的な技術など、どのような技術を採用してもよい。上述のように、読み書き装置３０は電子キー１０からキーデータを取得しなければ鍵管理サーバ５０と通信可能にならないので、鍵束データベースＤＢ１に登録されている識別データの安全性が向上する。
【００７１】
本実施形態では、鍵束データベースＤＢ１には、識別データの組として電子キー１０の製造番号を登録しているが、識別データの組として電子錠装置３０の製造番号を登録してもよい。電子錠装置３０の製造番号を登録した場合には、電子キー１０を紛失した場合のように電子キー１０の製造番号が不明になった場合、あるいは鍵束データベースＤＢ１に登録されていない電子キー１０に新たな識別データを記憶させる場合などにも、電子錠装置２０の製造番号で対応する識別データを得ることができるから、電子キー１０の複製を作製したり、電子キー１０に新規に識別データを記憶させたりすることが可能になる。
【００７２】
また、固定データ登録部１９に製造番号データが登録されていないブランクキーに識別データを登録する場合には、まず製造番号データを固定データ登録部１９に登録した後に、鍵束データベースＤＢ１から識別データを読み込むことになる。
【００７３】
さらに、上述した実施形態では鍵束データベースＤＢ１に製造番号データを照合することによって、電子キー１０に識別データを読み込むようにしているが、識別データの漏洩に対する安全性をさらに高めるために、図１２に破線で示すように、鍵管理サーバ５０に電子キー１０の使用者の個人情報を登録した使用者データベースＤＢ２あるいは電子錠装置２０の使用者の個人情報を登録した使用者データベースＤＢ３を追加して設けてもよい。図中には両使用者データベースＤＢ２，ＤＢ３を並記しているが一方のみでもよい。使用者データベースＤＢ２は鍵束データベースＤＢ１に識別データの組として電子キー１０の製造番号を登録する場合に設け、使用者データベースＤＢ３は鍵束データベースＤＢ１に識別データの組として電子錠装置２０の製造番号を登録する場合に設ける。使用者データベースＤＢ２には電子キー１０の使用者の個人情報として氏名、年齢、性別、住所、電話番号などが登録され、使用者データベースＤＢ３には電子錠装置２０の使用者の個人情報として氏名、年齢、性別、住所、電話番号などが登録される。
【００７４】
使用者データベースＤＢ２と使用者データベースＤＢ３とのいずれかを鍵管理サーバ５０に設けている場合には、読み書き装置３０から鍵管理サーバ５０にアクセスする際に、読み書き装置３０の操作部３３から個人情報のうちの少なくとも１つの項目について入力を促し、入力された項目の内容が使用者データベースＤＢ２あるいは使用者データベースＤＢ３に登録された内容と一致するときに鍵束データベースＤＢ１へのアクセスを許可するようにする。読み書き装置３０から入力する項目はあらかじめ固定的に設定しても、また鍵管理サーバ５０へのアクセスのたびに変更するようにしてもよい。このように電子キー１０あるいは電子錠装置２０の使用者の個人情報を確認した上で鍵束データベースＤＢ１へのアクセスを許可するから、鍵束データベースＤＢ１から識別データを読み出す際にアクセス権が電子キー１０あるいは電子錠装置２０の使用者の個人情報と製造番号データとによって制限され、結果的に識別データの漏洩を防止する効果が高くなる。
【００７５】
（実施形態２）
本実施形態では、図１３に示すように、鍵管理サーバ５０が、使用者データベースＤＢ２に登録された使用者毎の鍵束データベースＤＢ１へのアクセス状況を監視するアクセス状況監視手段５１を備え、使用者毎に一定期間毎のアクセス状況に応じた使用料を課金計算手段５２で計算するように構成されている。また、鍵管理サーバ５０には、各使用者が口座を開設している金融機関の金融機関サーバ６０と通信可能であって課金計算手段５２により求めた使用料を金融機関サーバ６０から自動的に引き落とすように処理する精算処理手段５３も設けられる。つまり、使用者データベースＤＢ２には氏名、年齢、性別などのほか、使用者の口座に関する情報も登録されている。
【００７６】
なお、課金計算手段５２は、アクセス状況に応じた使用料だけでなく、対象物Ｏｂがレンタルである場合には、レンタル料も併せて計算するように構成してもよい。
【００７７】
本実施形態の構成では、鍵管理サーバ５０へのアクセスに対して課金することによって鍵管理サーバ５０の運営費用を捻出することができ、しかも使用料は金融機関から自動的に引き落とすから、鍵管理サーバ５０の管理者は鍵束データベースへのアクセス状況に応じた使用料を自動的に徴収することができる。他の構成および動作は実施形態１と同様である。
【００７８】
（実施形態３）
本実施形態では、図１４に示すように、実施形態２におけるアクセス状況監視手段５１、課金計算手段５２、精算処理手段５３を鍵管理サーバ５０ではなく、通信回線ＮＴを提供している通信サービス会社が運営するキャリアサーバ６１に設けたものである。つまり、キャリアサーバ６１においてアクセス状況、課金計算、精算処理を代行させる形になっている。また、キャリアサーバ６１には鍵管理サーバ５０と同様の使用者データベースＤＢ３が設けられ、使用者データベースＤＢ３には使用者の氏名、年齢、性別などのほか、使用者の口座に関する情報も登録されている。キャリアサーバ６１に設けた課金計算手段５２では、鍵管理サーバ５０に設けた鍵束データベースＤＢ１の使用料だけではなく、通信回線ＮＴの使用料も合わせて計算しており、精算処理手段５３では、金融機関サーバ６０に対して両方の使用料を合わせて徴収するようになっている。ただし、鍵束データベースＤＢ１は鍵管理サーバ５０に設けられるから、キャリアサーバ６１では課金計算手段５２で求めた鍵束データベースＤＢ１の使用料については、精算処理手段５３から鍵管理サーバ５０に通知するようにしてある。
【００７９】
本実施形態の構成では、鍵束データベースＤＢ１へのアクセス状況に応じた使用料を自動的に徴収することができるだけではなく、料金徴収は通信サービス会社が代行することになり、鍵管理サーバ５０の管理者にとって使用料の徴収に対する負担が少なくなる。他の構成および動作は実施形態２と同様である。
【００８０】
なお、上述した構成例においては、一例として図６に示すような腕時計型の筐体４０を有する電子キー１０を示したが、通信電極１１と通信電極１２とが互いに接触しない状態で通信電極１１と通信電極１２とが人Ｍの体に直接接触する指輪型の筐体あるいは腕輪型の筐体を有する電子キー１０を用いることも可能である。
【００８１】
また、上述した構成例においては、識別データ設定部１４に複数個の識別データが登録されている場合に、電子キー１０を装着した人Ｍが電子錠装置２０の接触電極２１に接触すると、電子キー１０が識別データ設定部１４に登録されているすべての識別データを送信する動作例を示したが、電子キー１０の動作はこれに限定されるものではない。
【００８２】
たとえば、電子キー１０に鍵選択部を設けておき、鍵選択部で選択された識別データを電子錠装置２０に送信するように構成してもよい。さらに具体的に説明すると、鍵選択部を電子キー制御部１５に接続した２個の押釦スイッチで構成し、電子キー制御部１５では一方の押釦スイッチが押操作されるたびに識別データ設定部１４に登録されている複数の識別データからサイクリックに識別データを選択し、他方の押釦スイッチが押操作されたときに選択した識別データを送信する構成を採用することができる。ここに、どの識別データが選択されたか示すために、電子キー１０には液晶表示器などの表示部を設け、選択された識別データの順番を表示部に表示するのが望ましい。上述のように、複数の識別データから所望の識別データを選択して送信する構成を採用することによって、電子キー１０は、電子錠装置２０に対応する識別データのみを電子錠装置２０に送信することができるから、電子キー１０から電子錠装置２０への識別データの送信中に識別データが万一盗聴されたとしても、他の識別データは送信されず、すべての識別データを送信する場合に比較すると安全性が向上する。
【００８３】
また、たとえば、電子錠装置２０が電子キー１０に識別データを要求する技術を採用することもできる。さらに具体的に説明すると、各識別データごとに識別子を割り当て、電子錠装置２０の鍵データ記憶部２４には自己の識別データとこの識別データに割り当てられた識別子とを記憶させ、電子キー１０の識別データ設定部１４には識別データと識別データごとに割り当てられた識別子とを記憶させておく。電子錠装置２０は、接触電極２１から出力があった場合に、まず自己の識別データに割り当てられた識別子を電子キー１０に送信する。電子キー１０は、電子錠装置２０から送信された識別子に対応する識別データを識別データ設定部１４より検索して電子錠装置２０に送信する。
【００８４】
たとえば、自動車の鍵の識別データを「ＡＢＣ」として「１」という識別子を割り当て、家の鍵の識別データを「ＤＥＦ」として「２」という識別子を割り当て、自転車の鍵の識別データを「ＧＨＪ」として「３」という識別子を割り当てるものとする。自動車に設けた電子錠装置２０は、接触電極２１に反応があると、「１」という識別子を電子キー１０に送信する。電子キー１０は識別子「１」を受信すると、識別子「１」に対応する識別データ「ＡＢＣ」を返送する。この動作によって、電子錠装置２０に対応する識別データのみを電子キー１０から電子錠装置２０に送信することができるから、電子キー１０から電子錠装置２０への識別データの送信中に識別データが万一盗聴されたとしても、他の識別データは送信されず、すべての識別データを送信する場合に比較すると安全性が向上する。また、鍵選択部を設ける場合に比較すると、電子キー１０の使用者にとって識別データを選択する操作が不要であるから、使い勝手がよい。
【００８５】
【発明の効果】
請求項１の発明の構成によれば、錠機構の施解錠に際しては電子錠装置に識別データを送信する送信部を用い、メモリからなる識別データ設定部に識別データを登録する際には送信部とは別に設けたインタフェースを用いるから、識別データを電子錠装置に送信する経路と識別データ設定部に識別データを登録する経路とが分離され、専用装置以外では識別データを書き込むことができないことで識別データが第三者によって容易に書き換えられることがなく、識別データの安全性が高くなる。
【００８６】
また、識別データ設定部には複数個の識別データを設定することが可能であるから、１個の鍵を複数の対象物に設けた電子錠装置にそれぞれ適合可能として使い勝手を向上させるとともに携帯性を向上させることが可能になる。つまり、１個の電子キーによってそれぞれ鍵データが異なる複数個の錠機構を開閉することが可能になり、複数種類の対象物に設けられた錠機構を開閉するために、それぞれの錠機構に対応する複数個の鍵を携帯する必要がなく、使用者にとって利便性が高くなる。また、ホテルやマンションなどにおいて電子キーをマスタキーに用いることも可能であり、しかも１つの電子キーによって開閉できる錠機構の範囲を制限するような使用も可能になる。
【００９０】
加えて、鍵束データベースを備える鍵管理サーバから識別データが設定される場合に、キーデータを用いることによって鍵管理サーバと通信が許可されるから、鍵管理サーバが不用意にアクセスされることがなく、しかも、キーデータは識別子を入力しなければ出力されないから、キーデータが不用意に読み出される可能性を低減することができる。
【００９１】
請求項２の発明の構成によれば、識別子が製造番号であるから、電子キーに個別に付与される製造番号を識別子とすることで、異なる電子キーに同じ識別子が付与されるのを防止することができる。
【００９２】
請求項３の発明の構成によれば、識別子が電子錠装置の製造番号であるから、電子錠装置に個別に付与される製造番号を識別子に用いるから、電子キーを紛失したような場合でも、識別子を電気錠装置から取得して新たに電子キーを作製することが可能になる。
【０１０１】
請求項４ないし請求項９の発明の構成によれば、錠機構の施解錠に際しては電子錠装置に識別データを送信する送信部を用い、メモリからなる識別データ設定部に識別データを登録する際には送信部とは別に設けたインタフェースを用いるから、識別データを電子錠装置に送信する経路と識別データ設定部に識別データを登録する経路とが分離され、専用の読み書き装置以外では識別データを書き込むことができないことで識別データが第三者によって容易に書き換えられることがなく、識別データの安全性が高くなる。つまり、従来のような人証データ入力装置を併用しなくとも錠機構の施解錠の安全性を保つことができる。また、電子キーの識別データ設定部に複数個の識別データを登録すると、１個の電子キーによってそれぞれ鍵データが異なる複数個の錠機構を開閉することが可能になり、複数種類の対象物に設けられた錠機構を開閉するために、それぞれの錠機構に対応する複数個の鍵を携帯する必要がなく、使用者にとって利便性が高くなる。また、ホテルやマンションなどにおいて電子キーをマスタキーに用いることも可能であり、しかも１つの電子キーによって開閉できる錠機構の範囲を制限するような使用も可能になる。
とくに請求項４の発明の構成によれば、鍵管理サーバに設けた鍵束データベースによって各電子キーの識別データが一括して管理されるから、使用者の利便性が高くなる上に、鍵束データベースから識別データを読み出す際にアクセス権が識別子によって制限されるから識別データの漏洩を防止することができる。
【０１０３】
請求項５の発明の構成によれば、鍵管理サーバに設けた鍵束データベースによって各電子キーの識別データが一括して管理されるから、使用者の利便性が高くなる上に、鍵束データベースから識別データを読み出す際にアクセス権が電子キーの使用者の個人情報によって制限されるから識別データの漏洩を防止する効果が高くなる。
【０１０４】
請求項６の発明の構成によれば、鍵管理サーバに設けた鍵束データベースによって各電子キーの識別データが一括して管理されるから、使用者の利便性が高くなる上に、鍵束データベースから識別データを読み出す際にアクセス権が電子錠装置の使用者の個人情報によって制限されるから識別データの漏洩を防止する効果が高くなる。
【０１０５】
請求項７の発明の構成によれば、鍵束データベースへのアクセス状況に応じた使用料を自動的に徴収することができる。
【０１０６】
請求項８の発明の構成によれば、鍵束データベースへのアクセス状況に応じた使用料を自動的に徴収することができ、しかも料金徴収は通信サービス会社が代行することになり、鍵束データベースを保有する業者にとって使用料の徴収に対する負担が少ない。
【０１０７】
請求項９の発明の構成によれば、電子キーを紛失したような場合でも、電子錠装置の製造番号を用いて鍵管理サーバから識別データを電子キーに登録することが可能になる。
【０１０８】
請求項１０の発明の構成によれば、錠機構の施解錠に際しては電子錠装置に識別データを送信する送信部を用い、メモリからなる識別データ設定部に識別データを登録する際には送信部とは別に設けたインタフェースを用いるから、識別データを電子錠装置に送信する経路と識別データ設定部に識別データを登録する経路とが分離され、専用の読み書き装置以外では識別データを書き込むことができないことで識別データが第三者によって容易に書き換えられることがなく、識別データの安全性が高くなる。つまり、従来のような人証データ入力装置を併用しなくとも錠機構の施解錠の安全性を保つことができる。しかも、鍵管理サーバに設けた鍵束データベースによって各電子キーの識別データが一括して管理されるから、使用者の利便性が高くなる上に、鍵束データベースから識別データを読み出す際にアクセス権が識別子によって制限されるから識別データの漏洩を防止することができる。
【０１０９】
請求項１１の発明の構成によれば、錠機構の施解錠に際しては電子錠装置に識別データを送信する送信部を用い、メモリからなる識別データ設定部に識別データを登録する際には送信部とは別に設けたインタフェースを用いるから、識別データを電子錠装置に送信する経路と識別データ設定部に識別データを登録する経路とが分離され、専用の読み書き装置以外では識別データを書き込むことができないことで識別データが第三者によって容易に書き換えられることがなく、識別データの安全性が高くなる。つまり、従来のような人証データ入力装置を併用しなくとも錠機構の施解錠の安全性を保つことができる。しかも、鍵管理サーバに設けた鍵束データベースによって各電子キーの識別データが一括して管理されるから、使用者の利便性が高くなる上に、鍵束データベースから識別データを読み出す際にアクセス権が識別子および電子キーまたは電子錠装置の使用者の個人情報によって制限されるから識別データの漏洩を防止することができる。
【０１１０】
請求項１２の発明の構成によれば、鍵束データベースへのアクセス状況に応じた使用料を自動的に徴収することができる。
【図面の簡単な説明】
【図１】  基本構成１の概略構成図である。
【図２】  同上における電子キーのブロック図である。
【図３】  同上における電子錠装置のブロック図である。
【図４】  同上における読み書き装置のブロック図である。
【図５】  同上の動作説明図である。
【図６】  同上における電子キーの外観を示す斜視図である。
【図７】  同上の使用例を示す概略構成図である。
【図８】  同上の使用例を示す概略構成図である。
【図９】  基本構成２における電子キーのブロック図である。
【図１０】  同上の使用例を示す概略構成図である。
【図１１】  本発明の実施形態１における読み書き装置を示すブロック図である。
【図１２】  同上の使用例を示す概略構成図である。
【図１３】  本発明の実施形態２の使用例を示す概略構成図である。
【図１４】  本発明の実施形態３の使用例を示す概略構成図である。
【符号の説明】
１０  電子キー
１１，１２  通信電極
１３  データ送信部
１４  識別データ設定部
１５  電子キー制御部
１６  電池
１７  スタート信号検出部
１８  インタフェース
１９  固定データ登録部
２０  電子錠装置
２１  接触電極
２２  接地端子
２３  データ受信部
２４  鍵データ記憶部
２５  電子錠装置制御部
２６  接触検知部
２７  スタート信号発生部
２８  電源回路
２９  錠機構
３０  読み書き装置
３１  インタフェース
３２  データ転送処理部
３３  操作部
３４  伝送処理部
５０  鍵管理サーバ
５１  アクセス状況監視手段
５２  課金計算手段
５３  精算処理手段
６０  金融機関サーバ
６１  キャリアサーバ
ＤＢ１  鍵束データベース
ＤＢ２  使用者データベース
ＤＢ３  使用者データベース
Ｍ  人
ＮＴ  通信回線
Ｏｂ  対象物
Ｏｂ１  家
Ｏｂ２  自動車
【図１】
0004103589.tif 000002
【図２】
0004103589.tif 000003
【図３】
0004103589.tif 000004
【図４】
0004103589.tif 000005
【図５】
0004103589.tif 000006
【図６】
0004103589.tif 000007
【図７】
0004103589.tif 000008
【図８】
0004103589.tif 000009
【図９】
0004103589.tif 000010
【図１０】
0004103589.tif 000011
【図１１】
0004103589.tif 000012
【図１２】
0004103589.tif 000013
【図１３】
0004103589.tif 000014
【図１４】
0004103589.tif 000015